(57)【要約】【課題】遊技盤の周縁部に区画部材を配設して遊技領域を区画形成し、遊技領域には遊技装置を配設する遊技装置配設部を設けた遊技機において、複数のピースに分離構成された遊技盤の各ピースが確実に保持されるようにするとともに着脱を容易にする。【解決手段】遊技釘保持部材（第１遊技釘保持部材４０、第２遊技釘保持部材５０）の遊技装置（流下方向規制装置７）側の端部に、遊技装置配設部２４に形成した空部２５に挿通される挿通部４１，５１を設け、遊技釘保持部材の区画部材８側の端部に、遊技盤１の周縁部に張り出す張出部４２，５２を設け、遊技盤１の周縁部と区画部材８との間に遊技釘保持部材の張出部４２，５２を挿入した状態で狭持する。また、張出部４２，５２の固定を締結部材２６により遊技盤１の周縁部と区画部材８とを互いに押しつけることで行う。【選択図】図１０
2008067760.tif 000002
【特許請求の範囲】
【請求項１】
遊技盤の周縁部に区画部材を配設して遊技領域を区画形成し、遊技領域には遊技装置を配設する遊技装置配設部を設けた遊技機において、
遊技釘を保持した遊技釘保持部材と、
前記遊技盤と区画部材とを締結する締結部材と、
を備え、
前記遊技盤は、前記遊技装置配設部以外の遊技領域を凹ませて前記遊技釘保持部材を収納する収納部を設け、
該収納部は、前記遊技釘保持部材を前記遊技装置側と区画部材側とにスライド自在に構成され、
前記遊技装置配設部は、前記収納部の遊技装置側の起立面を後退させて遊技装置との間に空部を形成し、
前記遊技釘保持部材の遊技装置側の端部には、前記空部に挿通される挿通部が形成され、
前記収納部の区画部材側には、区画部材側に撓むとともに前記遊技釘保持部材を遊技装置側に付勢する付勢部材を設け、
前記遊技釘保持部材の区画部材側の端部には、当該遊技釘保持部材が前記遊技装置側に移動した状態で前記遊技盤の周縁部に至るまで張り出す張出部を設け、
前記遊技盤の周縁部と区画部材との間に前記遊技釘保持部材の張出部を挿入した状態で前記締結部材により遊技盤の周縁部と区画部材とを互いに押しつけるように狭持したことを特徴とする遊技機。
【請求項２】
前記遊技釘保持部材の張出部は、前記付勢部材に対応する部分に切欠部が設けられ、
前記区画部材は、前記付勢部材に対応する部分に遊技盤側に向かって突出する突出片を設け、
前記遊技盤の周縁部と区画部材との間に前記遊技釘保持部材の張出部を挿入して前記締結部材により遊技盤の周縁部と区画部材とを互いに押しつけるように狭持した状態で、前記区画部材の突出片が前記付勢部材と当接して付勢力を増すようにしたことを特徴とする請求項１に記載の遊技機。
【発明の詳細な説明】
【技術分野】
【０００１】
本発明は、遊技盤の周縁部に区画部材を配設して遊技領域を区画形成し、遊技領域には遊技装置を配設する遊技装置配設部を設けた遊技機に関する。
【背景技術】
【０００２】
従来、パチンコ機等の遊技機に装着された遊技盤は、前側から遊技装置が木ねじ等のファスナで固定され、遊技装置が配設されていない遊技盤前面（遊技領域）には、真鍮等の遊技釘が植設され、遊技領域における遊技球の流下に変化が与えられることにより遊技に対する興趣を高めている。
そして、遊技盤のリサイクル、リユース等の観点から、遊技盤の一部の遊技釘配置等を変更して再使用することを目的に、遊技盤を複数のピースに分離構成して互いのピースを圧入またはスナップ止め等の締結手段で締結することが考えられている（例えば、特許文献１参照）。
【特許文献１】特開２００４−９７２８７号公報
【発明の開示】
【発明が解決しようとする課題】
【０００３】
ところで、上記の遊技機の締結手段であるが、ピース同士の圧入の場合、互いの保持力は高いが着脱は困難であり、一方、スナップ止めの場合着脱は簡単であるが合成樹脂製の係止爪が脆弱であるため互いの保持力は低いといった二律背反の問題がある。
【０００４】
本発明の目的は、遊技盤の周縁部に区画部材を配設して遊技領域を区画形成し、遊技領域には遊技装置を配設する遊技装置配設部を設けた遊技機において、複数のピースに分離構成された遊技盤の各ピースが確実に保持されるようにするとともに着脱を容易にすることである。
【課題を解決するための手段】
【０００５】
以上の課題を解決するため、請求項１に記載の発明は、遊技盤の周縁部に区画部材を配設して遊技領域を区画形成し、遊技領域には遊技装置を配設する遊技装置配設部を設けた遊技機において、
遊技釘を保持した遊技釘保持部材と、
前記遊技盤と区画部材とを締結する締結部材と、
を備え、
前記遊技盤は、前記遊技装置配設部以外の遊技領域を凹ませて前記遊技釘保持部材を収納する収納部を設け、
該収納部は、前記遊技釘保持部材を前記遊技装置側と区画部材側とにスライド自在に構成され、
前記遊技装置配設部は、前記収納部の遊技装置側の起立面を後退させて遊技装置との間に空部を形成し、
前記遊技釘保持部材の遊技装置側の端部には、前記空部に挿通される挿通部が形成され、
前記収納部の区画部材側には、区画部材側に撓むとともに前記遊技釘保持部材を遊技装置側に付勢する付勢部材を設け、
前記遊技釘保持部材の区画部材側の端部には、当該遊技釘保持部材が前記遊技装置側に移動した状態で前記遊技盤の周縁部に至るまで張り出す張出部を設け、
前記遊技盤の周縁部と区画部材との間に前記遊技釘保持部材の張出部を挿入した状態で前記締結部材により遊技盤の周縁部と区画部材とを互いに押しつけるように狭持したことを特徴とする。
【０００６】
ここで、「遊技盤」は、木製でも合成樹脂製でも良く、合成樹脂製の場合は全面が透明でも良いし、一部のみ透明でも良い。
また、「遊技装置」は、遊技球の流下方向を変更するように遊技領域に突設された流下方向変更装置や、画像表示装置の表示部を視認可能な表示窓部を備えるセンターケースなどである。
また、「付勢部材」は、金属製の板ばね状のものや圧縮コイルばねなどを用いることができる。
【０００７】
請求項１に記載の発明によれば、遊技釘保持部材の遊技装置側の端部に、遊技装置配設部に形成した空部に挿通される挿通部を設け、遊技釘保持部材の区画部材側の端部に、遊技盤の周縁部に張り出す張出部を設け、遊技盤の周縁部と区画部材との間に遊技釘保持部材の張出部を挿入した状態で狭持するようにしたので、各遊技釘保持部材が確実に保持される。
また、張出部の固定は、締結部材により遊技盤の周縁部と区画部材とを互いに押しつけることで行うので、着脱が容易である。
【０００８】
請求項２に記載の発明は、請求項１に記載の遊技機であって、前記遊技釘保持部材の張出部は、前記付勢部材に対応する部分に切欠部が設けられ、
前記区画部材は、前記付勢部材に対応する部分に遊技盤側に向かって突出する突出片を設け、
前記遊技盤の周縁部と区画部材との間に前記遊技釘保持部材の張出部を挿入して前記締結部材により遊技盤の周縁部と区画部材とを互いに押しつけるように狭持した状態で、前記区画部材の突出片が前記付勢部材と当接して付勢力を増すようにしたことを特徴とする。
【０００９】
請求項２に記載の発明によれば、区画部材は、付勢部材に対応する部分に遊技盤側に向かって突出し、付勢部材と当接して付勢力を増す突出片を設けたので、遊技釘保持部材の保持力が増す。
【発明の効果】
【００１０】
本発明によれば、遊技釘保持部材の遊技装置側の端部に、遊技装置配設部に形成した空部に挿通される挿通部を設け、遊技釘保持部材の区画部材側の端部に、遊技盤の周縁部に張り出す張出部を設け、遊技盤の周縁部と区画部材との間に遊技釘保持部材の張出部を挿入した状態で狭持するようにしたので、各遊技釘保持部材が確実に保持される。
また、張出部の固定は、締結部材により遊技盤の周縁部と区画部材とを互いに押しつけることで行うので、着脱が容易である。
【発明を実施するための最良の形態】
【００１１】
以下、この発明の実施形態について図面を参照して説明する。
ここでは、本発明にかかる遊技機の適例としてのパチンコ遊技機について図１から図１０を用いて説明を行う。
【００１２】
図１，２に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように大型の表示ユニット１７０を備える裏機構枠１６０の配設を可能としている。
【００１３】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示ユニット１７０を備える裏機構枠１６０とを有する。
【００１４】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００１５】
また、前面枠本体１３０の遊技盤１が嵌め込まれた開口部１３１、すなわち、前面枠本体１３０の中央より少し下側から上端部にわたる部分には、前面枠本体１３０の前側を覆うようにクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁９に囲まれた部分が、遊技球が発射されて流下する第１遊技領域１ａとされている。
【００１６】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の第１遊技領域１ａの前側を開放可能となっている。クリア部材保持枠１４０には、前面枠本体１３０の開口部１３１をほぼ閉塞するように、該開口部１３１に嵌め込まれた遊技盤１との間に遊技球が流下可能な第１遊技領域１ａとなる間隔を開けて二重のガラス板１４１が固定されている。そして、クリア部材保持枠１４０において、遊技機１００の前側からガラス板１４１を介して遊技盤１の前面側の少なくとも第１遊技領域１ａの部分が視認可能となっている。また、クリア部材保持枠１４０の前面であって、ガラス板１４１が固定されて第１遊技領域１ａを視認可能とする部分の周囲には、枠装飾装置１４２としてのランプやＬＥＤ、音声を出力するスピーカなどが設けられている。
【００１７】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン１５８が設けられている。また、開閉パネル１５１の下側の下部パネル１５２には、上皿１５３に収容しきれない遊技球を収容する下皿１５４及び灰皿１５５と、第１遊技領域１ａに向けての遊技球の発射操作を行うとともに、該第１遊技領域１ａに遊技球を発射する際の発射勢を調節するための操作ハンドル１５６、音声を出力するスピーカ１５７などが設けられている。
【００１８】
また、前面枠本体１３０の前面側であって、クリア部材保持枠１４０の開放端側となる前面側から見て右側の端部の下部に位置する部分には、施錠装置の一部をなす鍵穴１３４が形成されている。この鍵穴１３４は、前面枠本体１３０の施錠装置の一部であるとともに、クリア部材保持枠１４０の施錠装置の一部でもあって、鍵穴１３４に鍵を入れて一方（例えば左回り）に回すと前面枠本体１３０の施錠が解除され、他方（例えば右回り）に回すとクリア部材保持枠１４０の施錠が解除されるようになっている。
【００１９】
また、図２に示すように、前面枠本体１３０の裏面側であって、遊技盤１が嵌め込まれた開口部１３１の上端部から中央より少し下側にわたる部分には、前面枠本体１３０の裏面側を覆うように裏機構枠１６０が配置されている。裏機構枠１６０の前面の左端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。なお、裏機構枠１６０と前面枠本体１３０の連結部分は着脱自在であって、前面枠本体１３０、裏機構枠１６０はそれぞれユニット単位で交換やメンテナンスが可能となっている。
【００２０】
裏機構枠１６０には画像を表示する画像表示装置としての表示ユニット１７０の他、表示ユニット１７０を制御する演出制御装置、賞球などを排出する排出装置、排出装置に遊技球を供給する貯留タンク１９２などが設けられている。
【００２１】
表示ユニット１７０は液晶表示器を備え、その画像表示面１７１が前側（開口した側）となるように配設されており、裏機構枠１６０を遊技盤１の裏面に臨むように配することで、遊技盤１の裏面側に画像表示面１７１が臨むようになっている。この画像表示面１７１の面積は、前面枠本体１３０に形成された開口部１３１に嵌め込まれた遊技盤１の大部分を裏面側から覆うことができる面積となっている。
【００２２】
また、表示ユニット１７０は、前後動可能に裏機構枠１６０に配設されるとともに、圧縮コイルばねからなる図示しない表示ユニット付勢手段により前方側に向かって付勢された状態となっている。そして、遊技盤１が装着されて裏機構枠１６０を閉じた状態においては、遊技盤１の裏面に設けられて後方に突出する押圧部８３（図７に図示）が、表示ユニット１７０の前面に密着し、遊技盤１の裏面から押圧部８３の突出幅の分だけ後方側へ隔離した位置に配されるようになっている。
【００２３】
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００２４】
図２に示すように、前面枠本体１３０の開口部１３１に嵌め込まれる遊技盤１は、遊技盤本体１ｂと、遊技盤本体１ｂの裏面側に配される遊技盤裏面構成部材８０とを備える。遊技盤本体１ｂは透明な合成樹脂（例えば、ポリカーボネートやアクリル）からなり、前面には、遊技領域区画壁９で囲まれた第１遊技領域１ａを有し、この第１遊技領域１ａ内に発射装置から遊技球（打球；遊技媒体）を発射して遊技を行うようになっている。
【００２５】
遊技盤本体１ｂの前面側には、第１遊技領域１ａを区画する遊技領域区画壁９を備える区画部材８，８が取り付けられている。この区画部材８，８は所定の厚みを有し、遊技盤本体１ｂの前面の外周部分に配されて第１遊技領域１ａを区画するものであって、遊技盤１の中心側に配される側面が第１遊技領域１ａを区画する遊技領域区画壁９をなしている。また、区画部材８，８は不透明な材質からなり、第１遊技領域１ａ以外から遊技機１００の内部が見えないようになっている。また、区画部材８，８は左右二つの部材に分割構成されており、このうち左側の区画部材８は、後述するように締結部材２６によって固定されて、遊技盤本体１ｂに対して着脱可能とされている。
【００２６】
さらに、遊技盤本体１ｂの外周部分に配された区画部材８，８には、遊技盤１を前面枠本体１３０に形成された開口部１３１に対して着脱可能とする係合凹部８ｂ、固定凹部８ｃが形成されている。前面側から見て左側にある区画部材８には、前面枠本体１３０に設けられた係合部材１３２，１３２が係合可能な係合凹部８ｂ，８ｂが形成され、遊技盤１の前面側から見て右側にある区画部材８，８には、前面枠本体１３０に設けられた固定部が係合可能な固定凹部８ｃが形成されている。そして、前面枠本体１３０に形成された開口部１３１に対して、前面側から係合凹部８ｂ，８ｂを係合部材１３２，１３２に係合させ、この係合部分を軸として他端部を後方に回動させて開口部１３１に収容し、固定凹部８ｃ，８ｃに固定部材１３３，１３３を係合させることで遊技盤１が前面枠本体１３０に固定されるようになっている。
【００２７】
遊技盤本体１ｂの裏面側に設けられた遊技盤裏面構成部材８０は、遊技盤本体１ｂの周囲に沿う矩形状をしており、不透明又は半透明とされた合成樹脂（例えば、ポリカーボネートやＡＢＳ）からなる。この遊技盤裏面構成部材８０における遊技盤本体１ｂの裏面に沿って配される部分の略中央部には、遊技盤本体１ｂに形成された第１遊技領域１ａの大部分と重なるように略矩形状の視認開口８７（図９に図示）が形成されている。
【００２８】
また、図９に示すように、遊技盤裏面構成部材８０には、視認開口８７を囲むように後方へ突出する表示領域区画壁８２が形成されており、これによって前後方向に沿った筒状の空間が形成されている。この表示領域区画壁８２は、遊技盤１の後方に配される後述する表示ユニット１７０の画像表示面１７１に近接するように配される（当接はしない）ようになっており、特図変動表示ゲームに対応した表示ゲームなどの表示領域を区画するものである。すなわち、表示ユニット１７０の画像表示面１７１のうち、視認開口８７の周縁に沿って形成された表示領域区画壁８２で囲まれた領域が遊技盤１の前面側から視認可能な表示領域（視認領域）となる。また、表示領域区画壁８２が遊技盤１と表示ユニット１７０との間の空間の側壁を構成する側部囲い壁をなす。これによって、第１遊技領域１ａの大部分に表示ユニット１７０の画像が表示されることとなる。また後述するように、この遊技盤本体１ｂの裏面側における表示領域区画壁８２で囲まれた領域の一部が、遊技球が流下可能な第２遊技領域２０とされている。
【００２９】
なお、上述したように画像表示面１７１の面積は、遊技盤裏面構成部材８０に形成された視認開口８７よりも広いので、遊技盤裏面構成部材８０に形成された視認開口８７から露出する領域に所定の画像が表示されるように演出制御装置によって制御されている。また、表示領域区画壁８２は、表示領域区画壁８２を通して遊技機１００の内部が透けて見えないように半透明または着色されて不透明とされている。
【００３０】
また、図７に示すように、ベース盤８１の裏面には、左右の端部に隣接する位置に、後方へ突出する押圧部８３が上下に形成されている。この押圧部８３は、遊技盤１の裏面側に配される表示ユニット１７０の前面にその後端部が当接するようになっている。表示ユニット１７０は、表示ユニット付勢手段によって前側に付勢されているので、押圧部８３と表示ユニット１７０は密着した状態で保持されるようになっている。
【００３１】
この押圧部８３は、所定の前後幅を有しており、押圧部８３が表示ユニット１７０の前面に当接することで、遊技盤１と表示ユニット１７０は所定の間隔をおいて平行に配され、両者の間に空間部が形成されるようになっている。なお、押圧部８３の前後幅は、上述した表示領域区画壁８２の前後幅よりも若干広くされており、押圧部８３が表示ユニット１７０の前面に当接することで、表示領域区画壁８２が画像表示面１７１に近接した位置に配されるようになっている。
【００３２】
このように、遊技盤１に対して表示ユニット１７０が所定の間隔をおいて遊技機１００の奥側に配されるので、表示ユニット１７０と遊技者との距離を確保でき、奥行き感を出すことができるとともに、大型の表示ユニット１７０を用いた場合でも、遊技者にとって見やすい構成とすることができる。また、遊技盤側から入り込む外光によって画像表示面１７１における表示が見にくくなることを防止できる。
【００３３】
また、遊技盤１の裏面側には、遊技を制御する遊技制御装置や、画像表示面１７１における表示データなどの機種に依存するデータが記憶された演出データ基板を備えた第２演出制御装置が取り付けられている。そして、上述した前面枠本体１３０や裏機構枠１６０には、遊技制御装置から受信した制御信号（演出コマンド）に基づいて（遊技制御装置の制御の下に）、表示ユニット１７０に備えられる液晶表示パネル１７５の制御、スピーカ１５７による音の出力の制御などを行う第１演出制御装置が取り付けられている。また、排出装置による賞球の排出、発射装置による遊技球の発射を制御する排出発射制御装置、遊技機１００内の各装置に電力を供給する電源回路としての電源供給装置も取り付けられている。
【００３４】
すなわち、機種に依存する演出データ基板を備えた第２演出制御装置、遊技制御装置は遊技盤１に取り付けられ、複数の機種で共通使用可能な第１演出制御装置、排出発射制御装置、電源供給装置は前面枠本体１３０もしくは裏機構枠１６０に取り付けられている。よって、遊技盤１を変更することにより機種に依存する装置（基板）のみが交換され、遊技機１００の遊技内容を変更することが可能である。
【００３５】
図１に示すように、遊技盤１を構成する遊技盤本体１ｂの前面側に形成された第１遊技領域１ａ内には、普図始動ゲート６、始動入賞口１０および普通変動入賞装置３、特別変動入賞装置４が設けられている。さらに、一般入賞口形成部材１４，１４に設けられた一般入賞口２，２、風車１１，１１、多数の遊技釘１５，１５，…（一部を図示）、流下方向規制装置７、入賞口などに入賞しなかった遊技球を回収するアウト口５などが設けられている。また、遊技盤本体１ｂの裏面側には、遊技球が流下可能な後述する第２遊技領域２０が設けられ、第１遊技領域１ａには、この第２遊技領域２０への導入口をなすワープ入口１２，１２、第２遊技領域２０からの導出口１３が設けられている。
【００３６】
普図始動ゲート６は遊技球が上下に通過可能なゲートであり、その内部には遊技球の通過を検出するゲートセンサが設けられている。そして、該ゲートセンサで遊技球が検出されることに基づき普図変動表示ゲームの始動条件が成立するようになっている。また、普図変動表示ゲームは、遊技盤１の前面側に設けられた図示しない普図変動表示器にて表示されるようになっている。さらに、遊技盤１の前面側には、未処理となっている第１普図変動表示ゲームの回数をＬＥＤの点滅で表示する図示しない普図始動記憶表示器が設けられている。
【００３７】
始動入賞口１０および普通変動入賞装置３は第１遊技領域１ａの下部にあって、その内部には遊技球の流入を検出する始動口センサが設けられている。この始動入賞口１０および普通変動入賞装置３は、特図始動入賞口であって、始動口センサで遊技球が検出されることに基づき特図変動表示ゲームの始動条件が成立するようになっている。この特図変動表示ゲームは、遊技盤１の前面側に設けられた図示しない特図変動表示器にて表示されるようになっている。また、遊技盤１の前面側には、未処理となっている特図変動表示ゲームの回数をＬＥＤの点滅で表示する図示しない特図始動記憶表示器が設けられている。
【００３８】
普通変動入賞装置３は左右一対の開閉部材３ａ，３ａを具備し、始動入賞口１０の下部に配設され、この開閉部材３ａ，３ａは、常時は遊技球が流入不能な閉じた状態（遊技者にとって不利な状態）を保持しているが、普図変動表示ゲームの結果が所定の停止表示態様（例えば、「７」）となった場合には、普図の当たりとなって、普通変動入賞装置３の開閉部材３ａ，３ａが所定時間（例えば、０.５秒間）逆「ハ」の字状に開いて普通変動入賞装置３に遊技球が流入し易い状態（遊技者にとって有利な状態）に変化されるようになっている。これにより、特図変動表示ゲームの始動が容易となる。
【００３９】
また、特図変動表示ゲームは、第１遊技領域１ａ内に設けられた特図変動表示器で実行されるが、ここで実行される特図変動表示ゲームに対応する表示ゲームが表示ユニット１７０の画像表示面１７１に表示されるようになっている。この特図変動表示ゲームに対応した表示ゲームの表示領域は、遊技盤１を構成する遊技盤裏面構成部材８０に形成された表示領域区画壁８２によって区画された領域であって、透明な材質からなる遊技盤本体１ｂを通して、その裏面側に配された表示ユニット１７０の画像表示面１７１を視認可能な領域となっている。なお、遊技機１００に特図変動表示器を備えずに、表示ユニット１７０のみで特図変動表示ゲームを実行するようにしても良い。そして、特図変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面１７１における表示ゲームの表示態様も特別結果態様（例えば、「７，７，７」等のゾロ目数字の何れか）となる。
【００４０】
特別変動入賞装置４は、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。なお、開閉扉４ａは、ソレノイドにより駆動される。また、大入賞口の内部（入賞領域）には、該大入賞口に入った遊技球を検出するための大入賞口用センサが配設されている。
【００４１】
一般入賞口形成部材１４，１４は、第１遊技領域１ａの下部に位置する遊技領域区画壁９に沿って配されており、前面側には一般入賞口２，２が形成されている。また、この一般入賞口２，２には、一般入賞口２，２に入った遊技球を検出するための一般入賞口センサが配設されている。また、一般入賞口形成部材１４，１４は、遊技に関連した装飾が施されて不透明となっているとともにＬＥＤなどを備えており、遊技盤１の装飾を行う遊技盤装飾装置の一部をなしている。
【００４２】
そして、遊技を開始することにより第１遊技領域１ａ内に打ち込まれた遊技球が、一般入賞口２，２、特図始動入賞口（始動入賞口１０、普通変動入賞装置３）、大入賞口（特別変動入賞装置４）等の入賞口の何れかに入賞すると、それぞれの入賞口に対応した所定数の賞球としての遊技球が排出発射制御装置（排出発射制御基板）の制御により排出装置によって上皿１５３に排出される（払い出される）ようになっている。
【００４３】
また、遊技装置をなす流下方向規制装置７は、第１遊技領域１ａとなる遊技盤本体１ｂの前面における遊技装置配設部２４に前方へ突出するように取り付けられている。この流下方向規制装置７は透光性を有する材質からなる部材で、鎧部７ａとその両端に接続した案内部７ｂ，７ｂとから略コ字状に形成されていて、コ字状の開口部分が下側を向くように第１遊技領域１ａの中央部に配され、第１遊技領域１ａの中央部分を区画するようになっている。これによって、第１遊技領域１ａに発射されて流下する遊技球が第１遊技領域１ａの左右に振り分けられ、第１遊技領域１ａの中央部分における画像表示面１７１の視認性が保たれるようになっている。
【００４４】
この流下方向規制装置７の鎧部７ａは、第１遊技領域１ａの中央部分に対して上側に配されて上方に突出するような円弧状をしており、その上面が中央から左右に下るような傾斜面とされている。このように上面が円弧状となっていることで、第１遊技領域１ａの上方に発射され、流下する遊技球を傾斜に沿って左右に振り分けることができるようになっている。
【００４５】
また、鎧部７ａの端部に連続した案内部７ｂ，７ｂは、第１遊技領域１ａの中央部分に対して左右に配されて下方に向かって延在するようになっている。この案内部７ｂ，７ｂは、鎧部７ａで左右に振り分けられた遊技球が中央部分へ戻らないように下方へ案内するものである。また、この案内部７ｂ，７ｂの下端部にはワープ流路への入口となるワープ入口１２，１２が、流下方向規制装置７の外側（案内部７ｂと、対向する遊技領域区画壁９との間）を流下する遊技球を受け入れ可能に形成されている。また、遊技盤本体１ｂにおけるワープ入口１２，１２が配される部分には、前後に貫通したワープ孔が形成され、ワープ入口１２，１２から流入した遊技球を、遊技盤本体１ｂの裏面側に形成された第２遊技領域２０へ誘導可能とされている。
【００４６】
また、遊技盤本体１ｂの裏面側における表示領域区画壁８２で囲まれた領域内には、遊技装置としてのステージ部材２１が配されている。このステージ部材２１は透光性を有する材質からなる板状の部材であって、左右の端部は表示領域区画壁８２の内周面と近接して配され、後端部は表示領域区画壁８２の後端部と等しい前後位置に配されている。すなわち、このステージ部材２１によって、表示領域区画壁８２によって形成された前後方向に沿った筒状の空間が上下に区画されるようになっている。そして、遊技盤１の裏面側に表示ユニット１７０が配されることで、表示ユニット１７０と表示領域区画壁８２、ステージ部材２１によって囲まれた空間である第２遊技領域２０が遊技盤本体１ｂの裏面側に形成される。このように形成される第２遊技領域２０へは、案内部７ｂ，７ｂに形成されたワープ入口１２，１２に流入した遊技球が誘導されるようになっている。
【００４７】
第１遊技領域１ａに開口したワープ入口１２に流入した遊技球は、ワープ流路を通って第２遊技領域２０におけるステージ部材２１の上面に形成されたステージ２１ａに誘導されることとなる。ステージ部材２１は、左右両側が中央に向かって下る傾斜面となっているとともに、中央部が上向きに突出した略Ｗ字状に形成され、その上面が、遊技球が転動するステージ２１ａとされている。
【００４８】
また、略Ｗ字状に形成されたステージ部材２１のステージ２１ａにおいて、上向きに突出した中央部の両側に位置する最も低くなった部分は、前方に向かって下る傾斜面２１ｂ，２１ｂとされている。また、このステージ部材２１の中央部は、遊技盤本体１ｂに形成された導出口１３の後方に位置するように形成されており、ステージ２１ａは、導出口形成部材２３によって形成された導出口１３の底面に連続するようになっている。これによって、ステージ２１ａ上を転動する遊技球は前側へ誘導され、導出口１３から第１遊技領域１ａへ導出されることとなる。
【００４９】
また、ステージ２１ａの左右方向の中央には垂直に下方へ延在する流入流路２１ｃが形成され、ステージ２１ａの遊技球が転動する面の下側には、この流入流路２１ｃの下端に接続するように、遊技球が流下可能な流路である球誘導路２２が形成されている。この球誘導路２２は、前後方向に沿って延在するように形成された遊技球が一個流下可能な内径を有する筒状の流路で、前側に向かって下るように傾斜している。この球誘導路２２の下流側端部は導出口形成部材２３の前端部に開口している。導出口形成部材２３の前端部に開口した球誘導路２２の下流側端部は、始動入賞口１０の直上に位置するようになっており、ここを流下した遊技球は高い確率で始動入賞口１０に流入するようになっている。
【００５０】
また、第１遊技領域１ａの一部は、遊技盤１の前面に着脱可能に嵌め込まれた第１遊技釘保持部材４０、第２遊技釘保持部材５０により構成されている。以下、これら第１遊技釘保持部材４０、第２遊技釘保持部材５０の構成とその取付構造について説明する。
【００５１】
図１，２に示すように、第１遊技釘保持部材４０は、遊技盤１の前面側から見て左側部分における流下方向規制装置７の上部（鎧部７ａの上部）に配されており、第２遊技釘保持部材５０は、流下方向規制装置７の左側（案内部７ｂの左側）に配されている。これら第１遊技釘保持部材４０、第２遊技釘保持部材５０は、図３，４に示すように、遊技盤本体１ｂの前面に形成された収納部３０に収納され、区画部材８が取り付けられることで固定されるようになっている。
【００５２】
収納部３０は、第１遊技釘保持部材４０、第２遊技釘保持部材５０の大きさおよび厚みに合わせて形成された後方に窪んだ凹部であって、遊技盤本体１ｂの前面の左側部分における、遊技装置をなす流下方向規制装置７が配される遊技装置配設部２４の外側から、区画部材８が配される第１遊技領域１ａの周縁部までの範囲に形成されている。
【００５３】
この収納部３０の区画部材８側の周縁は、区画部材８の遊技領域区画壁９をなす第１遊技領域１ａ側の周縁と前後に重なるようになっていて、この部分には、遊技盤本体１ｂの前面より一段低く、かつ、収納部３０の中央部分よりも一段高くなった段差部３１が形成されている。この段差部３１には、後述する第１遊技釘保持部材４０、第２遊技釘保持部材５０に形成された張出部４２，５２が収容されるようになっており、段差部３１の深さおよび収納部３０からの延出幅は、張出部４２，５２の厚みおよび外側への延出幅と等しいものとされている。
【００５４】
また、図７，９，１０に示すように、段差部３１には収納部３０に収納される第１遊技釘保持部材４０、第２遊技釘保持部材５０を流下方向規制装置７側に付勢する付勢部材３２が配されている。この付勢部材３２は略Ｌ字形をした金属製の板ばね状の部材で、屈曲部分を境に一方は端部が段差部３１の区画部材８側の側端に固定されるとともに遊技盤本体１ｂの前面と平行に配され、他方は、流下方向規制装置７側へ向かって斜め前方に延出するように配されている。この付勢部材３２は、後述するように弾性変形した状態で第１遊技釘保持部材４０、第２遊技釘保持部材５０の側面に当接するようになっており、これにより第１遊技釘保持部材４０、第２遊技釘保持部材５０を流下方向規制装置７側に押圧するようになっている。
【００５５】
また、収納部３０の流下方向規制装置７側の周縁においては、遊技盤本体１ｂにおける遊技装置配設部２４の収納部３０側の起立面の一部が後退して形成されていることで、その前面側に取り付けられた流下方向規制装置７の裏面側との間に空部２５が形成されている。この空部２５の広さは、後述する第１遊技釘保持部材４０、第２遊技釘保持部材５０に形成された挿通部４１，５１の厚みおよび外側への延出幅と等しいものとされており、ちょうど挿通部４１，５１を収容できるようになっている。また、収納部３０における第２遊技釘保持部材５０が配される部分には、第２遊技釘保持部材５０に設けられた風車１１、普図始動ゲート６の位置に合わせて前後に貫通する貫通孔３３，３３が形成されている。
【００５６】
第１遊技釘保持部材４０は、図４，５に示すように、流下方向規制装置７の鎧部７ａの上部に位置する収納部３０に収納されるものであって、その前面には複数の遊技釘１５，１５，…（一部を図示）が植設されている。この第１遊技釘保持部材４０の流下方向規制装置７側となる下側の周縁の前端部分には、遊技盤本体１ｂに形成された空部２５に挿通される挿通部４１が、外側へ向かって鍔状に延出するように形成されている。また、第１遊技釘保持部材４０の下側の周縁の前端であって、第２遊技釘保持部材５０と隣設して配される前面側から見て左側の部分には、外側へ向かって鍔状に延出する係合部４３が形成されている。この係合部４３は、後述する第２遊技釘保持部材５０の上端部に形成された係合受部５３に係合するようになっている。
【００５７】
また、第１遊技釘保持部材４０の区画部材８側となる上側の周縁の前端部分には、外側へ向かって鍔状に延出する張出部４２が形成されている。この張出部４２には、後述するように区画部材８と遊技盤本体１ｂを締結するための締結部材２６を挿通する挿通孔２７が形成されている。また、第１遊技釘保持部材４０を収納部３０に収納した際に、収納部３０の段差部３１に設けられた付勢部材３２と対応する部分は、張出部４２が切欠状に切り取られた切欠部４４とされている。さらに、この切欠部４４とされた部分には、付勢部材３２が当接する当接部４５が形成されており、ここに付勢部材３２が当接することで、第１遊技釘保持部材４０が流下方向規制装置７側に付勢されるようになっている。また、当接部４５の背面側には、第１遊技釘保持部材４０を収納部３０に収納する際に付勢部材３２が第１遊技釘保持部材４０を押圧する方向（流下方向規制装置７側）とは反対側に付勢部材３２を撓み易くするために傾斜面４５ａが形成されている。
【００５８】
第２遊技釘保持部材５０は、図４，６に示すように、流下方向規制装置７の案内部７ｂの側方に位置する収納部３０に収納されるものであって、その前面には複数の遊技釘１５，１５，…（一部を図示）が植設されているとともに、普図始動ゲート６や風車１１が設けられている。
【００５９】
この第２遊技釘保持部材５０は、基本的には上述した第１遊技釘保持部材４０と同様の構成を有しており、流下方向規制装置７側となる前面側から見た右側の周縁の前端部分における上部には、遊技盤本体１ｂに形成された空部２５に挿通される挿通部５１が、外側へ向かって鍔状に延出するように形成されている。また、第２遊技釘保持部材５０の上端部には、第１遊技釘保持部材４０の下端部に形成された係合部４３を受け入れる係合受部５３が形成されている。
【００６０】
また、第２遊技釘保持部材５０の区画部材８側となる左側の周縁の前端部分には、外側へ向かって鍔状に延出する張出部５２が形成され、収納部３０の段差部３１に設けられた付勢部材３２と対応する部分は、張出部５２が切欠状に切り取られた切欠部５４とされている。さらに、この切欠部５４とされた部分には、付勢部材３２が当接する当接部５５が形成されており、ここに付勢部材３２が当接することで、第２遊技釘保持部材５０が流下方向規制装置７側に付勢されるようになっている。また、当接部５５の背面側には、第２遊技釘保持部材５０を収納部３０に収納する際に付勢部材３２が第２遊技釘保持部材５０を押圧する方向（流下方向規制装置７側）とは反対側に付勢部材３２を撓み易くするために傾斜面５５ａが形成されている。
【００６１】
図３に示すように、遊技盤本体１ｂの外周に沿って配される区画部材８，８は左右二つの部材に分割構成されており、このうち前面側から見て左側の区画部材８は締結部材２６によって遊技盤本体１ｂに固定されている。締結部材２６は、区画部材８の上下二ヶ所に取り付けられるようになっており、この取付部分には、締結部材２６を挿通可能な挿通孔２７が形成されている。
【００６２】
図８に示すように、締結部材２６は、本体部２６ａと、該本体部２６ａの裏面から延出した円柱状の軸部２６ｂと、該軸部２６ｂの後端部側面に突設された係合部２６ｃとを備える。本体部２６ａは円盤状に形成され、前面側には指でつまむことができるように取っ手２６ｄが形成されている。この円盤状に形成された本体部２６ａの裏面には、中心から垂直に後方へ延出するように軸部２６ｂが形成され、この軸部２６ｂの後端部側面には、本体部２６ａの裏面と平行になるように軸部２６ｂの周面に対して垂直に突出した板状の係合部２６ｃが形成されている。また、係合部２６ｃの前面側には、前方に突出するように半球状の突部２６ｅが形成されている。この締結部材２６における本体部２６ａの裏面と係合部２６ｃの前面との間隔は、区画部材８を遊技盤本体１ｂの前面に配した状態で、締結部材２６が取り付けられる挿通孔２７が形成された部分における、区画部材８の前面から遊技盤本体１ｂの裏面までの間隔にほぼ等しいものとされている。
【００６３】
挿通孔２７は、締結部材２６の軸部２６ｂと係合部２６ｃをちょうど挿通できるように、軸部２６ｂの断面形状と相似形の軸部挿通部２７ａと、係合部２６ｃの断面形状と相似形の係合部挿通部２７ｂとが一体となった形状に形成されている。そして、この区画部材８に形成された挿通孔２７と前後に重なるように、遊技盤本体１ｂにも同じ形状をした挿通孔２７が形成されており、区画部材８を遊技盤本体１ｂに配設することで、挿通孔２７が遊技盤１の前後に貫通するようになっている。また、遊技盤本体１ｂにおける、区画部材８の上側に位置する挿通孔２７と前後に対応する位置には、第１遊技釘保持部材４０の張出部４２が配される段差部３１が形成されており、ここに配される張出部４２にも同じ形状をした挿通孔２７が形成されている。
【００６４】
次に、遊技盤本体１ｂに対する第１遊技釘保持部材４０、第２遊技釘保持部材５０の取り付けについて説明する。
まず、第２遊技釘保持部材５０を先に収納部３０に取り付ける。なお、第２遊技釘保持部材５０に備えられた普図始動ゲート６の配線は、あらかじめ収納部３０に形成された貫通孔３３から遊技盤本体１ｂの後方側へ出しておく。第２遊技釘保持部材５０を取り付ける際には、当接部５５の傾斜面５５ａを付勢部材３２の先端に当接させて流下方向規制装置７側とは反対側に付勢部材３２を撓ませるようにする。次に、挿通部５１を空部２５に挿通するように、収納部３０に対し遊技盤１の前面側から見て右方向へスライドさせるように挿し込むようにする。これにより、図９に示すように、第２遊技釘保持部材５０は収納部３０に収納され、張出部５２が段差部３１に収容されることとなる。さらに、段差部３１に設けられた付勢部材３２が切欠部５４の当接部５５に当接し、第２遊技釘保持部材５０を流下方向規制装置７側へ押圧する。これにより、第２遊技釘保持部材５０が収納部３０内に仮固定された状態となる。
【００６５】
続いて第１遊技釘保持部材４０を収納部３０に取り付ける。第１遊技釘保持部材４０も第２遊技釘保持部材５０と同様に当接部４５の傾斜面４５ａを付勢部材３２の先端に当接させて流下方向規制装置７側とは反対側に付勢部材３２を撓ませるようにする。次に、挿通部４１を空部２５に挿通するように収納部３０に対し下方向へスライドさせるように挿し込むようにする。これにより、第１遊技釘保持部材４０は収納部３０に収納され、張出部４２が段差部３１に収容されることとなる。さらに、段差部３１に設けられた付勢部材３２が切欠部４４の当接部４５に当接し、第１遊技釘保持部材４０を流下方向規制装置７側へ押圧する。これにより、第１遊技釘保持部材４０が収納部３０内に仮固定された状態となる。また、第１遊技釘保持部材４０の下端部に形成された係合部４３が、第２遊技釘保持部材５０の上端部に形成された係合受部５３に前側から係合する。このように、第２遊技釘保持部材５０に形成された係合受部５３に対して、第１遊技釘保持部材４０に形成された係合部４３が前側から係合するため、第１遊技釘保持部材４０を第２遊技釘保持部材５０よりも後に取り付けるようにしている。
【００６６】
第１遊技釘保持部材４０、第２遊技釘保持部材５０を収納部３０に収納したら、遊技盤本体１ｂの前面側に区画部材８を取り付ける。図１０に示すように、区画部材８の遊技領域区画壁９が形成された周縁部は、張出部４２，５２の前側に配されるようになっており、これにより、張出部４２，５２が遊技盤本体１ｂと区画部材８とに挟まれるようになる。そして、この状態で区画部材８を締結部材２６により遊技盤本体１ｂに固定する。
【００６７】
上述したように区画部材８の挿通孔２７と遊技盤本体１ｂの挿通孔２７は、前後に一致するように形成されており、区画部材８を遊技盤本体１ｂの所定位置に配することで遊技盤１の前後に貫通するようになる。この挿通孔２７に対して区画部材８の前面側から締結部材２６を、軸部２６ｂ、係合部２６ｃがそれぞれ軸部挿通部２７ａ、係合部挿通部２７ｂに通るように挿入する。
【００６８】
締結部材２６を完全に挿通した状態では、本体部２６ａの裏面が区画部材８の裏面に密着するとともに、係合部２６ｃが遊技盤本体１ｂの裏面側に完全に露出した状態となる。この状態で締結部材２６を軸部２６ｂを中心に回動させて、係合部２６ｃが係合部挿通部２７ｂから退避した状態とすることにより、係合部２６ｃが遊技盤本体１ｂの裏面に係合し、区画部材８と遊技盤本体１ｂが本体部２６ａの裏面と係合部２６ｃの前面の間に挟まれることで両者が締結されることとなる。さらに、係合部２６ｃの前面に形成された突部２６ｅは、遊技盤本体１ｂにおける、軸部２６ｂを中心に回動させた際に突部２６ｅが通過する円周上に形成された、前後に貫通する嵌合孔２９の裏面側に嵌合するようになっている。これにより、締結部材２６が振動などにより回動してしまうことを防止でき、区画部材８と遊技盤本体１ｂの締結が不用意に解除されないようになっている。
【００６９】
以上のことから、遊技盤１の周縁部に区画部材８を配設して遊技領域１ａを区画形成し、遊技領域１ａには遊技装置（流下方向規制装置７）を配設する遊技装置配設部２４を設けた遊技機１００であって、遊技釘１５，１５，…を保持した遊技釘保持部材（第１遊技釘保持部材４０、第２遊技釘保持部材５０）と、遊技盤１と区画部材８とを締結する締結部材２６と、を備え、遊技盤１は、遊技装置配設部２４以外の遊技領域１ａを凹ませて遊技釘保持部材を収納する収納部３０を設け、該収納部３０は、遊技釘保持部材を遊技装置側と区画部材８側とにスライド自在に構成され、遊技装置配設部２４は、収納部３０の遊技装置側の起立面を後退させて遊技装置との間に空部２５を形成し、遊技釘保持部材の遊技装置側の端部には、空部２５に挿通される挿通部４１，５１が形成され、収納部３０の区画部材８側には、区画部材８側に撓むとともに遊技釘保持部材を遊技装置側に付勢する付勢部材３２を設け、遊技釘保持部材の区画部材８側の端部には、当該遊技釘保持部材が遊技装置側に移動した状態で遊技盤１の周縁部に至るまで張り出す張出部４２，５２を設け、遊技盤１の周縁部と区画部材８との間に遊技釘保持部材の張出部４２，５２を挿入した状態で締結部材２６により遊技盤１の周縁部と区画部材８とを互いに押しつけるように狭持したこととなる。
【００７０】
また、図１０に示すように、区画部材８を遊技盤本体１ｂに取り付けることで、区画部材８の裏面側に形成された突出片２８が板ばね状の付勢部材３２の第１遊技釘保持部材４０もしくは第２遊技釘保持部材５０に当接する側とは反対側の面に当接するようになっている。付勢部材３２における突出片２８が当接する部分は、第１遊技釘保持部材４０もしくは第２遊技釘保持部材５０側に向かって、斜め前方に延出するように形成されており、突出片２８が当接することで付勢部材３２が第１遊技釘保持部材４０もしくは第２遊技釘保持部材５０側に押圧されるようになっている。これにより、第１遊技釘保持部材４０もしくは第２遊技釘保持部材５０側がより強く流下方向規制装置７側に付勢されるとともに、板ばね状の付勢部材３２が取り外し方向（区画部材８側）に撓むことができなくなり、第１遊技釘保持部材４０、第２遊技釘保持部材５０を収納部３０内に確実に保持することが可能となる。
【００７１】
以上のことから、遊技釘保持部材（第１遊技釘保持部材４０、第２遊技釘保持部材５０）の張出部４２，５２は、付勢部材３２に対応する部分に切欠部４４，５４が設けられ、区画部材８は、付勢部材３２に対応する部分に遊技盤１側に向かって突出する突出片２８を設け、遊技盤１の周縁部と区画部材８との間に遊技釘保持部材の張出部４２，５２を挿入して締結部材２６により遊技盤１の周縁部と区画部材８とを互いに押しつけるように狭持した状態で、区画部材８の突出片２８が付勢部材３２と当接して付勢力を増すようにしたこととなる。
【００７２】
また、第１遊技釘保持部材４０もしくは第２遊技釘保持部材５０側を取り外す際には、上述と逆の操作を行えば良い。すなわち、区画部材８の締結部材２６による遊技盤本体１ｂへの固定を解除して取り外し、第１遊技釘保持部材４０もしくは第２遊技釘保持部材５０側を、空部２５に挿通された挿通部４１，５１を支点として区画部材８側を前側に回動させるように収納部３０から外した後、挿通部４１，５１を空部２５から引き抜くように区画部材８側へスライドすることで取り外すことができる。この際に、第１遊技釘保持部材４０の係合部４３と、第２遊技釘保持部材５０の係合受部５３との構成により、第１遊技釘保持部材４０を先に取り外す必要があるが、これは、第１遊技釘保持部材４０に植設された遊技釘１５に発射装置により発射された遊技球が直接当接し、他の遊技釘１５よりも折損し易いため、第２遊技釘保持部材５０に優先して第１遊技釘保持部材４０が取り外せる構成となっている。
【００７３】
以上のように容易に第１遊技釘保持部材４０、第２遊技釘保持部材５０側を着脱できるので、例えば、遊技釘１５が折損した場合に容易に交換できるようになり、また、遊技機１００のリサイクル、リユースの場合に遊技釘１５が植設された部材を容易に分離できるようになる。
【００７４】
なお、遊技盤１は、前面枠１２０に対して前側から取り付ける構成としたが、遊技盤１を前面枠１２０に後側から取り付ける（或いはサイドからスライド挿入する）構成としても良い。この場合は、前面枠１２０に遊技盤１を装着した後に裏機構枠１６０を閉鎖することとなる。
【００７５】
また、裏機構枠１６０を開閉可能としたが、遊技盤１を前側から取り付ける構成の場合は、開閉できない裏機構枠１６０であっても良い。また、裏機構枠１６０を別途設けずに、前面枠本体１３０の裏面側に表示ユニット１７０を前後動可能に配するようにしても良い。また、表示ユニット１７０が遊技盤１の後方の所定間隔を空けた位置に配されるように、前面枠１２０などに固定されている構成としても良い。
【００７６】
また、遊技盤１は透明な合成樹脂からなるとしたが、少なくとも視認開口８７が設定される部分が透明であれば良く、遊技盤１の全てが透明であっても良いし、一部が透明であっても良い。
【００７７】
また、遊技盤１は、透明な合成樹脂で形成して遊技盤１を透かして後方の表示ユニット１７０の画像を視認できるように構成してもよいし、遊技盤１に開口部を形成して該開口部から後方の表示ユニット１７０の画像を視認できるように構成してもよい。このように遊技盤に開口部を形成する場合は、遊技盤は透明な合成樹脂製のものに限られず、木製などでもよい。なお、遊技盤を透明な合成樹脂で構成した場合は遊技盤１（表面）の全体或いは一部が表示領域を構成し、遊技盤１に開口部を形成した場合には開口部が表示領域を構成する。
【００７８】
また、遊技領域１ａの左上部を第１遊技釘保持部材４０、第２遊技釘保持部材５０で構成するとしたが、これに限られるものではなく、その他の部分も遊技釘保持部材で構成するようにしても良い。また、遊技釘保持部材の大きさや分割の仕方は任意である。
また、遊技装置としては、上述したような流下方向変更装置７のほか、画像表示装置の表示部を視認可能な表示窓部を備えるセンターケースなどとしても良い。
【００７９】
以上のような遊技機は、遊技盤１の周縁部に区画部材８を配設して遊技領域１ａを区画形成し、遊技領域１ａには遊技装置（流下方向規制装置７）を配設する遊技装置配設部２４を設けた遊技機１００であって、遊技釘１５，１５，…を保持した遊技釘保持部材（第１遊技釘保持部材４０、第２遊技釘保持部材５０）と、遊技盤１と区画部材８とを締結する締結部材２６と、を備え、遊技盤１は、遊技装置配設部２４以外の遊技領域１ａを凹ませて遊技釘保持部材を収納する収納部３０を設け、該収納部３０は、遊技釘保持部材を遊技装置側と区画部材８側とにスライド自在に構成され、遊技装置配設部２４は、収納部３０の遊技装置側の起立面を後退させて遊技装置との間に空部２５を形成し、遊技釘保持部材の遊技装置側の端部には、空部２５に挿通される挿通部４１，５１が形成され、収納部３０の区画部材８側には、区画部材８側に撓むとともに遊技釘保持部材を遊技装置側に付勢する付勢部材３２を設け、遊技釘保持部材の区画部材８側の端部には、当該遊技釘保持部材が遊技装置側に移動した状態で遊技盤１の周縁部に至るまで張り出す張出部４２，５２を設け、遊技盤１の周縁部と区画部材８との間に遊技釘保持部材の張出部４２，５２を挿入した状態で締結部材２６により遊技盤１の周縁部と区画部材８とを互いに押しつけるように狭持している。
【００８０】
したがって、遊技釘保持部材（第１遊技釘保持部材４０、第２遊技釘保持部材５０）の遊技装置（流下方向規制装置７）側の端部に、遊技装置配設部に形成した空部２５に挿通される挿通部４１，５１を設け、遊技釘保持部材の区画部材８側の端部に、遊技盤１の周縁部に張り出す張出部４２，５２を設け、遊技盤１の周縁部と区画部材８との間に遊技釘保持部材の張出部４２，５２を挿入した状態で狭持するようにしたので、各遊技釘保持部材が確実に保持される。
また、張出部４２，５２の固定は、締結部材２６により遊技盤１の周縁部と区画部材８とを互いに押しつけることで行うので、着脱が容易である。
【００８１】
また、遊技釘保持部材（第１遊技釘保持部材４０、第２遊技釘保持部材５０）の張出部４２，５２は、付勢部材３２に対応する部分に切欠部４４，５４が設けられ、区画部材８は、付勢部材３２に対応する部分に遊技盤１側に向かって突出する突出片２８を設け、遊技盤１の周縁部と区画部材８との間に遊技釘保持部材の張出部４２，５２を挿入して締結部材２６により遊技盤１の周縁部と区画部材８とを互いに押しつけるように狭持した状態で、区画部材８の突出片２８が付勢部材３２と当接して付勢力を増すようにしている。
【００８２】
したがって、区画部材８は、付勢部材３２に対応する部分に遊技盤１側に向かって突出し、付勢部材３２と当接して付勢力を増す突出片２８を設けたので、遊技釘保持部材の保持力が増す。
【００８３】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【００８４】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８５】
【図１】本発明を適用した一実施の形態の構成を示す遊技機の前面側から見た斜視図であって、クリア部材保持枠を開放した状態の図である。
【図２】遊技機の遊技盤を取り外した状態を示す分解斜視図である。
【図３】遊技盤の区画部材を取り外した状態を示す分解斜視図である。
【図４】図３の状態から第１遊技釘保持部材、第２遊技釘保持部材を取り外した状態を示す分解斜視図である。
【図５】第１遊技釘保持部材の裏面側から見た斜視図である。
【図６】第２遊技釘保持部材の裏面側から見た斜視図である。
【図７】遊技盤の左上部における前面側から見た斜視図であって、区画部材、第１遊技釘保持部材、第２遊技釘保持部材を取り外した状態の図である。
【図８】遊技盤の左上部における前面側から見た分解斜視図である。
【図９】遊技盤の第２遊技釘保持部材が取り付けられた部分の断面図であって、区画部材を取り外した状態の図である。
【図１０】遊技盤の第２遊技釘保持部材が取り付けられた部分の断面図である。
【符号の説明】
【００８６】
１      遊技盤
１ａ    遊技領域
７      流下方向規制装置（遊技装置）
８      区画部材
１５    遊技釘
２４    遊技装置配設部
２５    空部
２６    締結部材
２８    突出片
３０    収納部
３２    付勢部材
４０    第１遊技釘保持部材（遊技釘保持部材）
４１    挿通部
４２    張出部
４４    切欠部
５０    第２遊技釘保持部材（遊技釘保持部材）
５１    挿通部
５２    張出部
５４    切欠部
１００  遊技機
【図１】
2008067760.tif 000003
【図２】
2008067760.tif 000004
【図３】
2008067760.tif 000005
【図４】
2008067760.tif 000006
【図５】
2008067760.tif 000007
【図６】
2008067760.tif 000008
【図７】
2008067760.tif 000009
【図８】
2008067760.tif 000010
【図９】
2008067760.tif 000011
【図１０】
2008067760.tif 000012